【手続補正書】
【提出日】平成23年1月6日(2011.1.6)
【手続補正１】
【補正対象書類名】特許請求の範囲
【補正対象項目名】全文
【補正方法】変更
【補正の内容】
【特許請求の範囲】
【請求項１】
第１無線接続網から第２無線接続網へのハンドオーバー時に、前記第１無線接続網の第１網要素でのハンドオーバー管理方法において、
ユーザ端末（ＵＥ）から測定報告を受信し、
前記測定報告を基に前記ユーザ端末に対して前記第１無線接続網から第２無線接続網へのハンドオーバー（ＨＯ）実行を決定し、
ターゲットセルがサーキット交換網だけをサポートするか、またはサーキット交換網及びパケット交換網の両方をサポートするかを通知するハンドオーバー指示子を生成し、
前記ハンドオーバー指示子を含むハンドオーバー要求メッセージ及び位置再確認要求メッセージのうち少なくとも１つをコア網要素に伝送することを含む方法。
【請求項２】
前記第１無線接続網は、少なくともパケット交換網であり、前記第２無線接続網は、少なくともサーキット交換網であることを特徴とする請求項１に記載の方法。
【請求項３】
前記第１無線接続網の第１網要素は、ｅＮｏｄｅＢ、ＮｏｄｅＢ、及び無線網制御機（ＲＮＣ）のうち少なくとも１つであることを特徴とする請求項１に記載の方法。
【請求項４】
第１無線接続網から第２無線接続網へのハンドオーバー時に、コア網でのハンドオーバー管理方法において、
ターゲットセルがサーキット交換網だけをサポートするか、またはサーキット交換網及びパケット交換網の両方をサポートするかを通知するハンドオーバー指示子を含むハンドオーバー要求メッセージ及び位置再確認要求メッセージのうち少なくとも１つを受信し、
前記ハンドオーバー指示子を基に音声ベアラーと非音声ベアラーを分離し、
前記音声ベアラーと非音声ベアラーに対するハンドオーバーを管理することを特徴とする方法。
【請求項５】
前記音声ベアラーに対してパケット交換からサーキット交換へのハンドオーバーを開始することをさらに含み、前記音声ベアラーは、前記第１無線接続網内のパケット交換網と連結され、前記音声ベアラーは、前記第２無線接続網内のサーキット交換網と連結されることを特徴とする請求項１に記載の方法。
【請求項６】
前記音声ベアラーに対してパケット交換からサーキット交換へのハンドオーバーを開始し、前記非音声ベアラーに対してパケット交換からパケット交換へのハンドオーバーを開始することを含み、前記音声ベアラー及び非音声ベアラーは、第１無線接続網のパケット交換網と連結され、前記音声ベアラーは、前記第２無線接続網のサーキット交換網と連結され、前記非音声ベアラーは、前記第２無線接続網のパケット交換網と連結されることを特徴とする請求項４に記載の方法。
【請求項７】
前記第１無線接続網から第２無線接続網へ音声ベアラーのハンドオーバーを継続し、 前記ハンドオーバー指示子を基に前記非音声ベアラーの使用中止及び不活性化のうち少なくとも１つを行うことをさらに含むことを特徴とする請求項４に記載の方法。
【請求項８】
前記コア網要素は、移動性管理エンティティー（ＭＭＥ）及びサービング一般パケット無線サービスサポートノード（Ｓｅｒｖｉｎｇ  ＧＰＲＳ  Ｓｕｐｐｏｒｔ  Ｎｏｄｅ；ＳＧＳＮ）のうち少なくとも１つであることを特徴とする請求項４に記載の方法。
【請求項９】
測定報告を基にユーザ端末（ＵＥ）に対する第１無線接続網から第２無線接続網へのハンドオーバー（ＨＯ）を決定し、ターゲットセルがサーキット交換網だけをサポートするか、またはサーキット交換網及びパケット交換網の両方をサポートするかを通知するハンドオーバー要求メッセージ及び位置再確認要求メッセージのうち少なくとも１つを生成するプロセッサと、
前記ユーザ端末から測定報告を受信し、前記ハンドオーバー要求メッセージ及び位置再確認要求メッセージのうち少なくとも１つをコア網要素に伝送する送受信機と、を含む 第１無線接続網の第１網要素。
【請求項１０】
前記第１無線接続網は、少なくともパケット交換網であり、前記第２無線接続網は、少なくともサーキット交換網であることを特徴とする請求項９に記載の第１網要素。
【請求項１１】
前記第１無線接続網の第１網要素は、ｅＮｏｄｅＢ、ＮｏｄｅＢ、及び無線網制御機（ＲＮＣ）のうち少なくとも１つであることを特徴とする請求項９に記載の第１網要素。
【請求項１２】
ターゲットセルがサーキット交換網だけをサポートするか、またはサーキット交換網及びパケット交換網の両方をサポートするかを通知するハンドオーバー要求メッセージ及び位置再確認要求メッセージのうち少なくとも１つを受信する送受信機と、
前記ハンドオーバー指示子を基に音声ベアラーと非音声ベアラーを分離し、前記音声ベアラーと非音声ベアラーに対するハンドオーバーを管理するプロセッサと、を含むコア網要素。
【請求項１３】
前記プロセッサは、音声ベアラーに対するパケット交換からサーキット交換へのハンドオーバーを開始し、前記音声ベアラーは、前記第１無線接続網のパケット交換網に連結され、前記音声ベアラーは、前記第２無線接続網のサーキット交換網に連結されることを特徴とする請求項１２に記載のコア網要素。
【請求項１４】
前記プロセッサは、前記音声ベアラーに対してパケット交換からサーキット交換へのハンドオーバーと、前記非音声ベアラーに対してパケット交換からパケット交換へのハンドオーバーを開始し、前記音声ベアラー及び非音声ベアラーは、第１無線接続網のパケット交換網と連結され、前記音声ベアラーは、前記第１無線接続網のサーキット交換網と連結され、前記非音声ベアラーは、前記第２無線接続網のパケット交換網と連結されることを特徴とする請求項１２に記載のコア網要素。
【請求項１５】
前記プロセッサは、前記第１無線接続網から第２無線接続網への音声ベアラーに対するハンドオーバーを継続し、 前記ハンドオーバー指示子を基に非音声ベアラーの使用中止及び不活性化のうち少なくとも１つを行うことをを特徴とする請求項１２に記載のコア網要素。
【請求項１６】
前記コア網要素は、移動性管理エンティティー（ＭＭＥ）及びサービング一般パケット無線サービスサポートノード（Ｓｅｒｖｉｎｇ  ＧＰＲＳ  Ｓｕｐｐｏｒｔ  Ｎｏｄｅ；ＳＧＳＮ）のうち少なくとも１つであることを特徴とする請求項１２に記載のコア網要素。
【請求項１７】
第１無線接続網から第２無線接続網へのハンドオーバー管理方法において、
前記第１無線接続網の第１網要素により、ユーザ端末が伝送した測定報告を受信し、
前記第１網要素により、測定報告を基に前記ユーザ端末に対する第１無線接続網から第２無線接続網へのハンドオーバー実行を決定し、
前記第１網要素により、ターゲットセルがサーキット交換網だけをサポートするか、またはサーキット交換網及びパケット交換網の両方をサポートするかを通知するハンドオーバー指示子を生成し、前記ハンドオーバー指示子を含むハンドオーバー要求メッセージ及び位置再確認要求メッセージのうち少なくとも１つをコア網要素に伝送し、
前記第２無線接続網のコア網要素により、前記ハンドオーバー指示子を基に音声ベアラーと非音声ベアラーを分離し、
前記コア網要素により、前記音声ベアラーと非音声ベアラーに対するハンドオーバーを管理することを含むことを特徴とする方法。
【請求項１８】
前記コア網要素により、前記音声ベアラーに対するパケット交換からサーキット交換へのハンドオーバーを開始することを含み、前記音声ベアラーは、第１無線接続網のパケット交換網と連結され、前記音声ベアラーは、前記第２無線接続網のサーキット交換網と連結されることを特徴とする請求項１７に記載の方法。
【請求項１９】
前記コア網要素により、前記音声ベアラーに対してパケット交換からサーキット交換へのハンドオーバーと、前記非音声ベアラーに対してパケット交換からパケット交換へのハンドオーバーを開始することをさらに含み、前記音声ベアラー及び非音声ベアラーは、第１無線接続網のパケット交換網と連結され、前記音声ベアラーは、前記第２無線接続網のサーキット交換網と連結され、前記非音声ベアラーは、前記第２無線接続網のパケット交換網と連結されることを特徴とする請求項１７に記載の方法。
【請求項２０】
前記コア網要素により、前記音声ベアラーに対して前記第１無線接続網から第２無線接続網へのハンドオーバーを継続し、前記非音声ベアラーの使用中止及び不活性化のうち少なくとも１つを行うことをさらに含むことを特徴とする請求項１７に記載の方法。
【請求項２１】
第１無線接続網から第２無線接続網へのハンドオーバーを管理する網において、
ユーザ端末から測定報告を受信し、前記測定報告を基に前記ユーザ端末に対する第１無線接続網から第２無線接続網へのハンドオーバー実行を決定し、ターゲットセルがサーキット交換網だけをサポートするか、またはサーキット交換網及びパケット交換網の両方をサポートするかを通知するハンドオーバー指示子を生成し、前記ハンドオーバー指示子を含むハンドオーバー要求メッセージ及び位置再確認要求メッセージのうち少なくとも１つをコア網要素に伝送する第１網要素と、
前記ハンドオーバー指示子を含むハンドオーバー要求メッセージ及び位置再確認要求メッセージのうち少なくとも１つを受信し、前記ハンドオーバー指示子を基に音声ベアラーと非音声ベアラーを分離し、前記音声ベアラーと非音声ベアラーに対するハンドオーバーを管理するコア網要素と、を含む網。
【請求項２２】
前記コア網要素は、音声ベアラーに対してパケット交換からサーキット交換へのハンドオーバーを開始し、前記音声ベアラーは、前記第１無線接続網のパケット交換網と連結され、前記音声ベアラーは、前記第２無線接続網内のサーキット交換網と連結されることを特徴とする請求項２１に記載の網。
【請求項２３】
前記コア網要素は、前記音声ベアラーに対してパケット交換からサーキット交換へのハンドオーバーと、前記非音声ベアラーに対してパケット交換からパケット交換へのハンドオーバーを開始し、前記音声ベアラー及び非音声ベアラーは、第１無線接続網のパケット交換網と連結され、前記音声ベアラーは、前記第２無線接続網のサーキット交換網と連結され、前記非音声ベアラーは、前記第２無線接続網のパケット交換網と連結されることを特徴とする請求項２１に記載の網。
【請求項２４】
前記コア網要素は、前記第１無線接続網から第２無線接続網への音声ベアラーに対するハンドオーバーを継続し、前記ハンドオーバー指示子を基に非音声ベアラーの使用中止及び不活性化のうち少なくとも１つを行うことを特徴とする請求項２１に記載の網。